(57)【要約】【課題】ユーザーの利便性が向上する表示制御装置を提供する。【解決手段】表示制御装置１００は、タッチパネル部２と、表示制御部４とを備える。タッチパネル部２は、所定方向のスクロール操作を検出する。表示制御部４は、タッチパネル部２に画像を表示させる。表示制御部４は、タッチパネル部２がスクロール操作を検出した場合、タッチパネル部２に表示されている複数の第１画像１１０が並ぶ列に第１画像１１０と異なる形態の第２画像１２０をタッチパネル部２に表示させる。第２画像１２０は、スクロール操作の方向に対向する方向にあるタッチパネル部２の端部側に表示される。【選択図】図３
2020003910.tif 000002
【特許請求の範囲】
【請求項１】
タッチパネル部と、
前記タッチパネル部に画像を表示させる表示制御部と
を備え、
前記タッチパネル部は、所定方向のスクロール操作を検出し、
前記タッチパネル部が前記スクロール操作を検出した場合、前記表示制御部は、前記タッチパネル部に表示されている複数の第１画像が並ぶ列に前記第１画像と異なる形態の第２画像を前記タッチパネル部に表示させ、
前記第２画像は、前記スクロール操作の方向に対向する方向にある前記タッチパネル部の端部側に表示される、表示制御装置。
【請求項２】
前記表示制御部は、前記スクロール操作に基づいて、前記第２画像の形態を変更する、請求項１に記載の表示制御装置。
【請求項３】
前記表示制御部は、前記第１画像の幅より小さくなるように前記第２画像の幅を変更する、請求項１または請求項２に記載の表示制御装置。
【請求項４】
前記表示制御部は、前記タッチパネル部が前記スクロール操作を検出しない場合、前記第２画像を前記第１画像に変更する、請求項１から請求項３のいずれか１項に記載の表示制御装置。
【請求項５】
前記表示制御部は、前記スクロール操作の終端部に対応する前記第１画像を表示し、前記第１画像の近傍に第３画像を表示し、
前記第３画像は、前記第１画像及び前記第２画像と異なる形態である、請求項１から請求項４のいずれか１項に記載の表示制御装置。
【請求項６】
前記表示制御部は、前記タッチパネル部が前記スクロール操作を検出しない場合、前記第３画像の表示を規制する、請求項５に記載の表示制御装置。
【請求項７】
タッチパネル部を備える表示制御装置における表示制御方法であって、
前記タッチパネル部が所定方向のスクロール操作を検出する検出ステップと、
前記タッチパネル部に表示されている複数の第１画像が並ぶ列の前記第１画像と異なる形態の第２画像を前記タッチパネル部に表示させる表示ステップとを備え、
前記第２画像は、前記スクロール操作の方向に対向する方向にある前記タッチパネル部の端部側に表示される、表示制御方法。
【発明の詳細な説明】
【技術分野】
【０００１】
本発明は、表示制御装置及び表示制御方法に関する。
【背景技術】
【０００２】
従来、スクロール操作が可能な表示装置が提供されている。このような表示装置として、特許文献１に記載の表示装置は、タッチパネルと、記憶手段と、検出手段と、スクロール処理手段とを備える。記憶手段は、電子情報に基づいて生成される表示画面を記憶する。検出手段は、タッチパネルの表示に対するスクロール操作を検出する。スクロール処理手段は、表示範囲をスクロール方向に移動させてタッチパネルに表示させる。特許文献１に記載の表示装置は、表示範囲をスクロールさせる。
【先行技術文献】
【特許文献】
【０００３】
【特許文献１】特開２０１４−７４９７９号公報
【発明の概要】
【発明が解決しようとする課題】
【０００４】
しかしながら、特許文献１に記載の表示装置は、未表示の画像があるか否かをユーザーに伝えることができない。したがって、ユーザーの利便性が充分でなかった。
【０００５】
本発明は上記課題に鑑みてなされたものであり、未表示の画像があるか否かをユーザーに伝えることができる表示制御装置及び表示制御方法を提供することを目的とする。
【課題を解決するための手段】
【０００６】
本発明の一局面に係る表示制御装置は、タッチパネル部と、表示制御部とを備える。前記タッチパネル部は、所定方向のスクロール操作を検出する。前記表示制御部は、前記タッチパネル部に画像を表示させる。前記表示制御部は、前記タッチパネル部が前記スクロール操作を検出した場合、複数の第１画像が並ぶ列に前記第１画像と異なる形態の第２画像を前記タッチパネル部に表示させる。前記第２画像は、前記スクロール操作の方向に対向する方向にある前記タッチパネル部の端部側に表示される。
【０００７】
本発明の一局面に係るタッチパネル部を備える表示制御装置における表示制御方法は、検出ステップと、表示ステップとを備える。前記検出ステップは、前記タッチパネル部がスクロール操作を検出する。前記表示ステップは、複数の第１画像が並ぶ列に前記第１画像と異なる形態の第２画像を前記タッチパネル部に表示させる。前記第２画像は、前記スクロール操作の方向に対向する方向にある前記タッチパネル部の端部側に表示される。
【発明の効果】
【０００８】
本発明によれば未表示の画像があるか否かをユーザーに伝えることが可能となり、ユーザーの利便性が向上する。
【図面の簡単な説明】
【０００９】
【図１】本発明の実施形態に係る表示制御装置を示す図である。
【図２】本発明の実施形態に係る表示部の画面に表示された選択画面を示す図である。
【図３】選択画面をスクロール操作した状態を示す図である。
【図４】選択画面をスクロール操作した状態を示す図である。
【図５】表示制御部が実行する処理を示すフローチャートである。
【発明を実施するための形態】
【００１０】
以下、本発明の実施形態について、図面を参照しながら説明する。なお、図中、同一または相当部分については同一の参照符号を付して説明を繰り返さない。
【００１１】
まず、図１を参照して本発明の実施形態に係る表示制御装置１００を説明する。図１は、本発明の実施形態に係る表示制御装置１００を示す図である。
【００１２】
表示制御装置１００は、例えば、スマートフォンまたはパソコンの一部として用いられる。表示制御装置１００は、タッチパネル部２と、記憶部３と、表示制御部４とを備える。図１に示すように、Ｙ軸は、タッチパネル部２の長辺と平行である。Ｙ軸は、表示制御装置１００の左右方向を示す。図１に示すように、Ｘ軸は、タッチパネル部２の短辺と平行である。Ｘ軸は、表示制御装置１００の上下方向を示す。
【００１３】
タッチパネル部２は、ユーザーからの操作を受け付ける。また、タッチパネル部２は、画像を表示する。タッチパネル部２は、矩形状である。タッチパネル部２は、検出部２１と表示部２２とを含む。検出部２１と表示部２２との形状は、タッチパネル部２と同様である。タッチパネル部２の長辺と短辺とは、タッチパネル部２の端部の例に相当する。
【００１４】
検出部２１は、ユーザーの操作を検出する。例えば、ユーザーは指で検出部２１を操作する。検出部２１は、ユーザーの指が接触している位置を検出する。検出部２１は、表示部２２に重なるように配置される。なお、検出部２１は透明である。
【００１５】
検出部２１は、擦動を検出する。擦動は、ユーザーの指が検出部２１に接触している状態で指が移動することを示す。検出部２１に対して行われる擦動は、スクロール操作の例に相当する。検出部２１は、例えば、検出部２１に対して行われるＸ軸方向（上下方向）の擦動を検出する。Ｘ軸方向の擦動は、タッチパネル部２の上側の辺から下側の辺に向かう第１方向のスクロール操作と、タッチパネル部２の下側の辺から上側の辺に向かう第２方向のスクロール操作とを含む。また、検出部２１は、検出部２１に対して行われるＹ軸方向（左右方向）の擦動を検出する。Ｙ軸方向の擦動は、タッチパネル部２の左側の辺から右側の辺に向かう第３方向のスクロール操作と、タッチパネル部２の右側の辺から左側の辺に向かう第４方向のスクロール操作とを含む。
【００１６】
表示部２２は画像を表示する。表示部２２は、画面を含む。表示部２２は画面に任意の画像を表示する。表示部２２は、液晶表示装置であってもよく、有機ＥＬ表示装置であってもよい。ユーザーは、検出部２１を介して表示部２２の画面に表示された画像を視認できる。
【００１７】
記憶部３は、制御プログラムと、画像とを記憶する。制御プログラムは、例えば、表示制御部４の動作を制御するプログラムを含む。
【００１８】
記憶部３は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００１９】
表示制御部４は、制御プログラムを実行することにより、表示制御装置１００の動作を制御する。表示制御部４は、ＣＰＵ（Ｃｅｎｔｒａｌ  Ｐｒｏｃｅｓｓｉｎｇ  Ｕｎｉｔ）のようなプロセッサーによって構成される。また、表示制御部４は、表示制御装置１００を動作させる集積回路を備える。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２０】
表示制御部４は、タッチパネル部２と、記憶部３とにそれぞれ接続されている。例えば、表示制御部４はタッチパネル部２の表示部２２を制御する。例えば、表示制御部４は、検出部２１の検出結果に基づいて、表示部２２が表示する画像を変更する。
【００２１】
図２を参照して、選択画面を説明する。図２は、表示部２２の画面に表示された選択画面を示す図である。表示制御部４は、表示部２２が選択画面を表示するように表示部２２を制御する。選択画面には、複数の画像データが表示される。具体的には、選択画面には、フォルダー画像１４０と、第１画像１１０とが表示される。
【００２２】
表示制御部４は、表示部２２が選択画面にフォルダー画像１４０を表示するように、表示部２２を制御する。フォルダー画像１４０には、ユーザーによって選択されたフォルダーの名前が表示される。フォルダーの名前は、例えば、ユーザーＢＯＸである。
【００２３】
表示制御部４は、表示部２２が選択画面に複数の第１画像１１０を表示するように、表示部２２を制御する。具体的には、表示制御部４は、表示部２２が選択画面に第１画像１１０を４つ表示するように、表示部２２を制御する。第１画像１１０は、矩形状の画像である。第１画像１１０は、図２に示すように、一列に並ぶように選択画面に表示される。選択画面に表示された第１画像１１０は、上下方向に並ぶ。
【００２４】
また、第１画像１１０には、画像データの名前が表示される。画像データの名前は、「文書１」〜「文書１６」を示す。図２に示す選択画面には、「文書１」を示す第１画像１１０と、「文書２」を示す第１画像１１０と、「文書３」を示す第１画像１１０と、「文書４」を示す第１画像１１０とが表示される。
【００２５】
また、表示制御部４は、第１画像１１０を選択できるように選択画面に第１画像１１０を表示する。例えば、「文書３」を示す第１画像１１０を選択する場合、ユーザーは、選択画面全体のうち「文書３」を示す第１画像１１０をタッチする。検出部２１は、「文書３」を示す第１画像１１０に対するタッチ操作を検出する。表示制御部４は、検出部２１の検出結果に基づいて、表示部２２が「文書３」の内容を表示するように、表示部２２を制御する。この結果、ユーザーは、選択画面に表示された第１画像１１０を選択でき、第１画像１１０に対応するデータの内容を確認できる。
【００２６】
図３を参照して、選択画面に第２画像１２０を表示する場合を説明する。図３は、選択画面をスクロール操作した状態を示す図である。図３では、第２方向にスクロール操作が行われる。図３に示すように、選択画面には、フォルダー画像１４０と、第１画像１１０と、第２画像１２０とが表示される。
【００２７】
表示制御部４は、表示部２２が選択画面に第２画像１２０を表示するように、表示部２２を制御する。選択画面に表示された第１画像１１０と異なる第２画像１２０は、選択画面に表示されていない第１画像１１０があることを示す画像である。第２画像１２０には、画像データの名前が表示される。図３に示すように、第２画像１２０に表示される画像データの名前は、「文書５」である。
【００２８】
第２画像１２０は、第１画像１１０と形態が異なる。第２画像１２０は、例えば、第１画像１１０と比較して形状が異なる。具体的には、第２画像１２０は、第１画像１１０と比較して左右方向の幅が異なる。図３で示すように、第２画像１２０の左右方向の幅は、第１画像１１０の左右方向の幅よりも短い。なお、第２画像１２０と第１画像１１０とは模様が異なってもよい。また、第２画像１２０と第１画像１１０とは色彩が異なってもよい。また、第２画像１２０の「文書５」は、太字で表示されてもよい。
【００２９】
表示制御部４は、検出部２１がスクロール操作を検出した場合、選択画面に表示された第１画像１１０と異なる第２画像１２０を表示するように、表示部２２を制御する。第２画像１２０は、第１画像１１０と共に選択画面に表示される。具体的には、検出部２１が検出したスクロール操作の方向に選択画面をスクロールできる場合に、表示制御部４は表示部２２が第２画像１２０を表示するように、表示部２２を制御する。
【００３０】
また、表示制御部４は、検出部２１が検出したスクロール操作の方向に選択画面をスクロールできるか否かを判定する。具体的には、表示制御部４は、選択画面に所定の第１画像１１０が表示されているか否かを判定する。所定の第１画像１１０は、スクロール操作の終端部に対応する画像である。例えば、第１方向のスクロール操作の終端部に対応する所定の第１画像１１０は、「文書１」を示す第１画像１１０である。選択画面に所定の第１画像１１０が表示されている場合、表示制御部４は第１方向にスクロール操作できないと判定する。なお、「文書１」を示す第１画像１１０が選択画面に表示されていても、第２方向のスクロール操作は可能である。また、スクロール操作の終端部に対応する画像が選択画面に表示されていない場合、第１方向のスクロール操作と第２方向のスクロール操作とが可能となる。
【００３１】
また、表示制御部４は、表示部２２が複数の第１画像１１０が並ぶ列に第２画像１２０を表示するように、表示部２２を制御する。例えば、図３に示すように、「文書５」を示す第２画像１２０を、「文書２」を示す第１画像１１０と「文書３」を示す第１画像１１０と「文書４」を示す第１画像１１０とが並ぶ列に表示させる。また、第２画像１２０は、スクロール操作の方向に対向する方向にあるタッチパネル部２の端部側に表示される。この結果、第２画像１２０は、第１画像１１０とタッチパネル部２の端部との間に表示される。
【００３２】
また、複数の第１画像１１０が並ぶ列に第２画像１２０を表示する場合、表示制御部４は、表示部２２に表示した複数の第１画像１１０の内の１つを選択画面に表示しないように、表示部２２を制御する。具体的には、スクロール操作の方向に一致する方向にあるタッチパネル部２の端部側にある第１画像１１０が表示されない。さらに具体的には、「文書５」を示す第２画像１２０を表示する場合、表示制御部４は、表示部２２が「文書１」を示す第１画像１１０を選択画面に表示しないように、表示部２２を制御する。さらに具体的には、「文書１」を示す第１画像１１０は、第２方向のスクロール操作に伴って、タッチパネル部２の上側の辺に向かって移動する。タッチパネル部２の上側の辺に向かって「文書１」を示す第１画像１１０が移動することで、「文書１」を示す第１画像１１０は、フォルダー画像１４０と接触する。フォルダー画像１４０と接触した第１画像１１０は、選択画面に表示されなくなる。
【００３３】
また、表示制御部４は、ユーザーがスクロール操作をする前の「文書１」を示す第１画像１１０の位置に「文書２」を示す第１画像１１０を表示するように、表示部２２を制御する。「文書２」を示す第１画像１１０の表示位置が変更されることで、選択画面に表示された他の画像の位置も変更される。具体的には、「文書３」を示す第１画像１１０は、「文書２」を示す第１画像１１０の位置に表示される。「文書４」を示す第１画像１１０は、「文書３」を示す第１画像１１０の位置に表示される。また、表示制御部４は、表示部２２が「文書４」を示す第１画像１１０の位置に「文書５」を示す第２画像１２０を表示するように、表示部２２を制御する。したがって、「文書２」を示す第１画像１１０と、「文書３」を示す第１画像１１０と、「文書４」を示す第１画像１１０と、「文書５」を示す第２画像１２０とが表示部２２に表示される。
【００３４】
また、「文書２」を示す第１画像１１０と「文書３」を示す第１画像１１０と「文書４」を示す第１画像１１０と「文書５」を示す第２画像１２０とが選択画面に表示された状態で、さらに検出部２１が第２方向のスクロール操作を検出した場合、表示制御部４は、「文書２」を示す第１画像１１０を表示しない。この結果、「文書２」を示す第１画像１１０の位置に「文書３」を示す第１画像１１０が表示される。「文書３」を示す第１画像１１０の表示位置が変更されることで、選択画面に表示された他の画像の位置も変更される。具体的には、「文書４」を示す第１画像１１０は、「文書３」を示す第１画像１１０の位置に表示される。
【００３５】
また、表示制御部４は、表示部２２が「文書４」を示す第１画像１１０の位置に「文書５」を示す第１画像１１０が表示するように、表示部２２を制御する。具体的には、表示制御部４は、「文書５」を示す第２画像１２０を「文書５」を示す第１画像１１０に変更する。この結果、表示部２２は、「文書４」を示す第１画像１１０の位置に「文書５」を示す第１画像１１０を表示できる。
【００３６】
また、表示制御部４は、表示部２２が「文書５」を示す第２画像１２０の位置に「文書６」を示す第２画像１２０を表示するように、表示部２２を制御する。したがって、「文書３」を示す第１画像１１０と、「文書４」を示す第１画像１１０と、「文書５」を示す第１画像１１０と、「文書６」を示す第２画像１２０とが選択画面に表示される。
【００３７】
スクロール操作中に第１画像１１０が並ぶ列に第２画像１２０を表示することで、選択画面に表示されていない画像があることをユーザーに知らせることができる。この結果、ユーザーの利便性が向上する。
【００３８】
また、検出部２１がスクロール操作を検出しない場合、表示制御部４は、第２画像１２０を第１画像１１０に変更する。例えば、検出部２１がスクロール操作を検出しない場合、表示制御部４は、図３に示す「文書５」を示す第２画像１２０を「文書５」を示す第１画像１１０に変更する。この結果、ユーザーは選択画面のスクロールが終了したことを知り得る。したがって、ユーザーの利便性が向上する。
【００３９】
表示制御部４は、検出部２１が検出したスクロール操作に基づいて、第２画像１２０の形態を変更する。具体的には、表示制御部４は、検出部２１が検出した指の移動量を取得する。指の移動量は、擦動の始点から擦動の終点までの距離を示す。擦動の始点は、ユーザーの指が検出部２１に接触した位置である。擦動の終点は、ユーザーの指が検出部２１から離れた位置である。
【００４０】
表示制御部４は、取得した指の移動量に基づいて、第２画像１２０の左右方向の幅を変更する。第２画像１２０の左右方向の幅は、指の移動量と反比例する。したがって、指の移動量が大きくなるにつれて、第２画像１２０の左右方向の幅が短くなる。この結果、ユーザーは、第２画像１２０の左右方向の幅の長さから選択画面がどの程度遷移するか判断できる。したがって、ユーザーの利便性が向上する。
【００４１】
次に、図４を参照して、選択画面に第３画像１３０を表示する場合を説明する。図４は、選択画面をスクロール操作した状態を示す図である。図４に示すように、選択画面には、第２方向のスクロール操作の終端部に対応する第１画像１１０が表示される。図４に示すように、選択画面には、フォルダー画像１４０と、第１画像１１０と、第３画像１３０とが表示される。スクロール操作の終端部に対応する第１画像１１０は、複数の第１画像１１０の内の表示部２２に最初に表示される第１画像１１０である。最初に表示される第１画像１１０は、第１画像１１０が並ぶ列の先頭に表示される。また、スクロール操作の終端部に対応する第１画像１１０は、複数の第１画像１１０の内の表示部２２に最後に表示される第１画像１１０である。最後に表示される第１画像１１０は、第１画像１１０が並ぶ列の末尾に表示される。
【００４２】
表示制御部４は、表示部２２が選択画面に第３画像１３０を表示するように、表示部２２を制御する。第３画像１３０は、第１画像１１０が並ぶ列の先頭を示す画像である。また、第３画像１３０は、第１画像１１０が並ぶ列の末尾を示す画像である。第３画像１３０は、矩形の画像である。第３画像１３０の形態は、第１画像１１０の形態と異なる。第３画像１３０の形態は、第２画像１２０の形態と異なる。第３画像１３０は、スクロール操作の終端部に対応する第１画像１１０の近傍に表示される。例えば、図４に示すように、第３画像１３０は、「文書１６」を示す第１画像１１０と表示部２２の下側の辺との間に表示される。
【００４３】
第３画像１３０を表示する場合、表示制御部４は、表示部２２に所定の第１画像１１０が表示されているか否かを判定する。所定の第１画像１１０は、スクロール操作の終端部に対応する第１画像１１０である。例えば、第２方向のスクロール操作の終端部に対応する所定の第１画像１１０は、「文書１６」を示す第１画像１１０である。表示部２２に所定の第１画像１１０が表示されている場合、表示制御部４は、第３画像１３０を表示する。
【００４４】
第３画像１３０を表示することで、ユーザーは、第１画像１１０が並ぶ列の先頭または第１画像１１０が並ぶ列の末尾を知り得る。この結果、ユーザーは、スクロール操作の終端部を知り得る。したがって、ユーザーの利便性が向上する。
【００４５】
なお、第１方向のスクロール操作の終端部に対応する所定の第１画像１１０は、「文書１」を示す第１画像１１０である。第１方向にスクロール操作された場合、表示制御部４は、選択画面に「文書１」を示す第１画像１１０が表示されているか否かを判定する。選択画像に「文書１」を示す第１画像１１０が表示されている場合、表示制御部４は、第３画像１３０を選択画面に表示する。具体的には、「文書１」を示す第１画像１１０と表示部２２の上側の辺との間に第３画像１３０を表示する。
【００４６】
また、検出部２１がスクロール操作を検出しない場合、表示制御部４は、第３画像１３０を表示しない。例えば、図４に示すように、表示部２２に「文書１３」を示す第１画像１１０と「文書１４」を示す第１画像１１０と「文書１５」を示す第１画像１１０と「文書１６」を示す第１画像１１０と第３画像１３０とが表示され、検出部２１がスクロール操作を検出しない場合、表示制御部４は、第３画像１３０を表示しない。表示制御部４は、第３画像１３０を規制し、第１画像１１０のみを選択画面に表示する。この結果、ユーザーはスクロール操作が終了したことを知り得る。したがって、ユーザーの利便性が向上する。
【００４７】
次に図５を参照して、表示制御部４が実行する処理を説明する。図５は、表示制御部４が実行する処理を示すフローチャートである。表示制御部４が実行する処理は、ステップＳ１〜ステップＳ２１を含む。
【００４８】
ステップＳ１：表示制御部４は、表示部２２が選択画面に複数の第１画像１１０を表示するように、表示部２２を制御する。処理は、ステップＳ３に進む。
【００４９】
ステップＳ３：検出部２１は、スクロール操作を検出する。具体的には、検出部２１は、ユーザーの指が検出部２１に接触している状態で指を移動させる擦動を検出する。処理は、ステップＳ５に進む。
【００５０】
ステップＳ５：表示制御部４は、検出部２１が検出した指の移動量を取得する。処理は、ステップＳ７に進む。
【００５１】
ステップＳ７：表示制御部４は、取得した指の移動量に基づいて、第２画像１２０の左右方向の幅を変更する。処理は、ステップＳ９に進む。
【００５２】
ステップＳ９：表示制御部４は、表示部２２が選択画面に複数の第１画像１１０と第２画像１２０とを表示するように、表示部２２を制御する。処理は、ステップＳ１１に進む。
【００５３】
ステップＳ１１：表示制御部４は、検出部２１がスクロール操作を検出したか否かを判定する。検出部２１がスクロール操作を検出しない場合（ステップＳ１１において、Ｙｅｓ）、処理は、ステップＳ１５に進む。検出部２１がスクロール操作を検出する場合（ステップＳ１１において、Ｎｏ）、処理はステップＳ１３に進む。
【００５４】
ステップＳ１３：表示制御部４は、第２画像１２０を第１画像１１０に変更する。処理は、終了する。
【００５５】
ステップＳ１５：表示制御部４は、選択画面にスクロール操作の終端部に対応する第１画像１１０が表示されているか否かを判定する。スクロール操作の終端部に対応する第１画像１１０が選択画面に表示されていない場合（ステップＳ１５において、Ｎｏ）、処理は、ステップＳ９に戻る。スクロール操作の終端部に対応する第１画像１１０が選択画面に表示されている場合（ステップＳ１５において、Ｙｅｓ）、処理はステップＳ１７に進む。
【００５６】
ステップＳ１７：表示制御部４は、表示部２２が選択画面に複数の第１画像１１０と第３画像１３０とを表示するように、表示部２２を制御する。処理はステップＳ１９に進む。
【００５７】
ステップＳ１９：表示制御部４は、検出部２１がスクロール操作を検出したか否かを判定する。検出部２１がスクロール操作を検出する場合（ステップＳ１９において、Ｙｅｓ）、処理はステップＳ１７に戻る。検出部２１がスクロール操作を検出しない場合（ステップＳ１９において、Ｎｏ）、処理は、ステップＳ２１に進む。
【００５８】
ステップＳ２１：表示制御部４は、表示部２２が選択画面に複数の第１画像１１０のみを表示するように、表示部２２を制御する。処理は、終了する。
【００５９】
以上、図面（図１〜図５）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６０】
本発明は、表示制御装置及び表示制御方法の分野に利用可能である。
【符号の説明】
【００６１】
２      タッチパネル部
４      表示制御部
１００  表示制御装置
１１０  第１画像
１２０  第２画像
１３０  第３画像
Ｓ３    ステップ（検出ステップ）
Ｓ９    ステップ（表示ステップ）
【図１】
2020003910.tif 000003
【図２】
2020003910.tif 000004
【図３】
2020003910.tif 000005
【図４】
2020003910.tif 000006
【図５】
2020003910.tif 000007